(57)【要約】  人工毛であって、主として2本以上のフィラメント(2)から成り、これらのフィラメントが、撚り合わされているかまたは編み合わされており、かつ/または共通の被覆(3)を備えていることを特徴とする人工毛。【選択図】図3
2010522278.tif 000002
【特許請求の範囲】
【請求項１】
人工毛であって、主として2本以上のフィラメント(2)から成り、これらのフィラメントが、撚り合わされているかまたは編み合わされており、かつ/または共通の被覆(3)を備えていることを特徴とする人工毛。
【請求項２】
当該フィラメント(2)が、撚り合わされているかまたは編み合わされており、かつ共通の被覆(3)を備えていることを特徴とする請求項1に記載の人工毛。
【請求項３】
3〜34本の編み合わされるかまたは撚り合されているフィラメント(2)から成ることを特徴とする請求項1または2に記載の人工毛。
【請求項４】
被覆(3)に顔料が添加されていることを特徴とする請求項1から3の中のいずれか一つに記載の人工毛。
【請求項５】
フィラメント(2)が合成物質で作られていることを特徴とする請求項1から4の中のいずれか一つに記載の人工毛。
【請求項６】
当該合成物質が、ポリエステル(PE)、ナイロン(PA)、ポリエチレンテレフタレート(PET)、ファッション用アクリル(Nomex(登録商標))、ポリブチルテレフタレート(PBT)、ポリエチレン、ポリオキシメチレン(POM)、ポリテトラフルオロエチレン(PTFE)または芳香族ポリアミド(アラミド)から成るグループから選択される一つまたはいくつかの成分のモノポリマーまたはコポリマーから成ることを特徴とする請求項5に記載の人工毛。
【請求項７】
当該被覆(3)が、ポリウレタン化合物、ビスコースポリウレタン化合物、アクリル化合物、ビニル化合物、テフロン(登録商標)化合物、ビスコースナイロン化合物、ビスコースポリエステル化合物から成るグループから選択される一つの化合物から成ることを特徴とする請求項1から6の中のいずれか一つに記載の人工毛。
【請求項８】
0.06 mmよりも小、好ましくは0.05 mmよりも小の直径を有することを特徴とする請求項1から7の中のいずれか一つに記載の人工毛。
【発明の詳細な説明】
【技術分野】
【０００１】
本発明は、人工毛に関する。この人工毛は、特に、かつらの製造、髪延長材の製造に使用でき、人形の髪として使用でき、あるいはその他のことに使用できる。
【背景技術】
【０００２】
公知のように、人工毛は合成物質の単一フィラメントから成る。このフィラメントには通常、顔料が分散させられており、これがフィラメントしたがって人工毛の色を決定する。
【０００３】
公知の人工毛のフィラメントは、合成物質、たとえばポリエステル、ナイロンまたはファッション用のアクリル樹脂(Nomex(登録商標))の押出しによって得られるモノフィラメントである。
【０００４】
公知の人工毛の直径は、どんな用途のために製造されたかにより、0.025〜0.09 mmの範囲で変えられる。人形用の人工毛は、直径0.025 mm以上とすることができるが、人間用の人工毛は、十分な機械的強度を有するように、少なくとも0.06 mmの直径とすべきである。というのは、0.05 mm以下の直径の人工毛は、強度が不十分であり、髪をくしでといているときに、破断する危険があるからである。
【０００５】
欧州人の天然毛髪は、通常、約0.05 mmの直径を有し、人間用の公知の人工毛は、通常、もっと太いので、人間の天然毛髪の挙動と人工毛の挙動とは異なり、これはもちろん好ましいことではない。
【０００６】
公知の人工毛のもう一つの欠点は、モノフィラメントがポリアミドまたはコポリアミドで作られている場合には特にそうであるが、特定の条件下で、あるいはある種のコンディショナーを使用すると、顔料がモノフィラメントから出ていき、その結果、人工毛がその色を失い、あるいは人工毛における色むらが発生しうる、ということである。
【０００７】
公知の人工毛のもう一つの欠点は、光がある特定の角度で入射すると、いわゆる不自然な(false)光反射が起こる、ということである。特に、黒い人工毛は、このような不自然な反射により、オレンジ色の輝きを示すことがあり、これは非常に好ましくない。前記不自然な反射は、特に、モノフィラメントがポリエステルまたはナイロン基材で作られている人工毛の場合に観察される。
【発明の開示】
【発明が解決しようとする課題】
【０００８】
本発明の目的は、前記欠点およびその他の欠点の一つまたはいくつかを克服することである。
【課題を解決するための手段】
【０００９】
この目的に応じて、本発明は、
人工毛であって、主として2本以上のフィラメントから成り、これらのフィラメントが、撚り合わされているかまたは編み合わされており、かつ/または共通の被覆を備えていることを特徴とする人工毛、
に関する。
【発明の効果】
【００１０】
本発明の利点は、繊維をかなり細くできるということである。というのは、人工毛のフィラメントの撚り合わせまたは編み合わせによって、共軸方向で、同程度の直径の公知の人工毛に比して、大きな強度が得られるからである。
【００１１】
いくつかの繊維を共通の被覆で封じても、同じ効果が得られる。
【００１２】
すなわち、本発明の人工毛は、0.05 mm以下の直径を有し、人間の天然頭髪の強度と同程度以上の強度を有するように作ることができる。
【００１３】
繊維は、好ましくは、撚り合わせまたは編み合わせられ、またこれらの繊維を包囲する共通被覆が使用される。
【００１４】
この好ましい実施形態の一つの利点は、人工毛の構造が、薄層(plates)で包囲されたいくつかのらせん状撚り合わせケラチン繊維から成る天然繊維の周知の構造によく似ている、ということである。試験により、本発明の人工毛の挙動が天然頭髪の挙動とよく似ている、ということがわかった。
【００１５】
顔料は、好ましくは、被覆に添加され、そのような被覆が人工毛の色を決定する。
【００１６】
試験により、人工毛の被覆したがって人工毛の外表面近くに顔料を添加することにより、不自然な反射はほとんどまたはまったく起こらず、その結果、人工毛が常に自然に見える、ということがわかった。
【００１７】
被覆に顔料を添加することのもう一つの利点は、顔料を安定に被覆内に分散させることができ、したがって顔料の移動または流動の危険が強く抑えられる、ということである。
【発明を実施するための最良の形態】
【００１８】
以下、本発明の特徴をさらに十分に説明するために、添付の図面を参照しつつ、限定を意図しない単なる例として、本発明の人工毛の好ましい実施形態について説明する。
【００１９】
図1は、本発明の人口毛1を示す。この人口毛1は、撚り合わされた少なくとも2本、この場合は、3本のフィラメント2から成る。
【００２０】
フィラメント2は、好ましくは、ポリエステル(PE)、ナイロン(PA)、ポリエチレンテレフタレート(PET)、ファッション用アクリル(Nomex(登録商標))、ポリブチルテレフタレート(PBT)、ポリエチレン、ポリオキシメチレン(POM)、ポリテトラフルオロエチレン(PTFE)、芳香族ポリアミド(アラミド、たとえばケブラー(登録商標))から成るグループから選択される一つまたはいくつかの合成物質のモノポリマーまたはコポリマーで作られる。ここで、合成フィラメント2内には、顔料を分散させることもさせないことも可能である。
【００２１】
フィラメント2がナイロン(PA)を含む場合、このナイロンは、好ましくは、PA6、PA6.6、PA11、PA12、PA6/12、PA6.10、PA4.6、PA6/6.6、PA6.12、PA66またはPEから成るグループから選択される一つのPAである。
【００２２】
明らかに、フィラメント2を撚り合わせることにより、非撚り合わせまたは非ねじり形状の同じフィラメントを有する人工毛に比して、共軸方向の強度の大きな人工毛1が得られ、その結果、共軸方向における人工毛の強度が人間の天然頭髪よりも小さくなることなく、本発明の人工毛1の直径を、0.06 mmよりも小、好ましくは0.05 mmよりも小に抑えることができる。
【００２３】
また、当然のことながら、本発明においては、撚り合わせという言葉は広い意味に解釈すべきであり、すなわち、ねじり、曲げ、らせん巻き、その他の意味にも解釈すべきである。
【００２４】
さらに、フィラメント2は、編み合わせることもできる。
【００２５】
注意すべきことは、本発明の人工毛1には、好ましくは、3〜34本のフィラメント2を使用することができ、これらのフィラメント2は撚り合わせるか編み合わせることができ、あるいは2本以上のフィラメントを撚り合わせるか編み合わせて、繊維とし、それからいくつかのそのような繊維を撚り合わせるか編み合わせることができる、ということである。
【００２６】
フィラメント2の形状に関して注意すべきことは、フィラメント2は、円形断面のほか、楕円、二重円(double round)、その他の形状の断面を有することができる、ということである。
【００２７】
図2は、少なくとも長さの一部にわたって、2本以上のフィラメント2が共通の被覆3に包囲されている変形実施形態を示す。
【００２８】
この被覆3には、人工毛1の色を決定する顔料を添加してもしなくてもよい。
【００２９】
被覆3は、好ましくは、ポリウレタン化合物、ビスコースポリウレタン化合物、アクリル化合物、ビニル化合物、テフロン(登録商標)化合物、ビスコースナイロン化合物、ビスコースポリエステル化合物から成るグループから選択される一つの要素を基材として作られる。
【００３０】
注意すべきことは、共通被覆3という言葉は、被覆3が、それぞれのフィラメント2がまとまって、被覆された単一の束を作るように、フィラメントのまわりに備えられる、ということを意味する。
【００３１】
人工毛1に着色するための顔料は被覆3に添加されるので、明らかに、これらの顔料は、人工毛1の表面またはそのすぐ近くに配置され、したがって不自然な反射効果が防止される。
【００３２】
最後に、図3は、本発明の人工毛のもう一つの変形実施形態を示す。この場合、撚り合わされるかねじりあわされたいくつかのフィラメント2が、前記共通被覆3を備えている。
【００３３】
注意すべきことは、この変形実施形態における人工毛1においては、好ましくは3〜34本のフィラメント2が使用され、これらのフィラメント2は、撚り合わされるか編み合わされるかすることができ、あるいは2本以上のフィラメントを撚り合わせるか編み合わせて繊維とし、それからこれらの繊維のいくつかを撚り合わせるかまたは編み合わせることができる、ということである。
【００３４】
フィラメント2の形状に関して注意すべきことは、これらのフィラメントは、円形断面のほか、楕円、二重円、その他の形状の断面を有することができる、ということである。
【００３５】
本発明は、図面に示した前記実施形態のみに限定されるものではない。逆に、本発明の人工毛は、本発明の範囲を逸脱することのないあらゆる種類の変形を加えて具体化することができる。
【図面の簡単な説明】
【００３６】
【図１】本発明の人口毛の斜視図である。
【図２】図1の人口毛の変形を示す図である。
【図３】図1の人口毛のもう一つの変形を示す図である。
【符号の説明】
【００３７】
1  人工毛
2  フィラメント
3  被覆
【図１】
2010522278.tif 000003
【図２】
2010522278.tif 000004
【図３】
2010522278.tif 000005
【国際調査報告】
2010522278.tif 000006
2010522278.tif 000007
2010522278.tif 000008